(57)【要約】【課題】複数の単位パネルをタイル状に並べることで形成されるタイリングディスプレイは、単位パネル周縁部に存在する非表示領域の影響により、タイリングディスプレイ中に継目が発生し、表示品質が低下してしまう場合がある。そこで継ぎ目部分を目立たぬよう処理する技術を提供する。【解決手段】複数の単位パネルの目地部分に有機ＬＥＤからなるパネルを設置する。有機ＬＥＤを構成する材料は全て固体であるため液晶等で必須となる封止領域は必要なく、有機ＬＥＤの劣化要因となる水分の浸入を抑制できるよう処理されていれば良い。このように、周縁部端まで画素を配置することができるため、継目を効果的に覆い隠すことが可能となる。更に、単位パネル間に空隙を設けることで多数枚の単位パネルを用いた場合、中央部の配線を単位パネル間の空隙に通すことで中央部の単位パネルと周辺回路との電気的接続を行うことができる。【選択図】図４
2007192977.tif 000002
【特許請求の範囲】
【請求項１】
周縁部に非表示領域を有する単位パネルを、複数枚タイル状に配列してなるタイリングディスプレイであって、
隣り合う前記単位パネル間にある前記非表示領域を覆うように面光源となる有機ＬＥＤを用いた表示シートを配置したことを特徴とするタイリングディスプレイ。
【請求項２】
前記単位パネルはプラズマディスプレイ、液晶ディスプレイ、フィールドエミッションディスプレイ、ＣＲＴのいずれかであることを特徴とする請求項１に記載のタイリングディスプレイ。
【請求項３】
前記表示シートに配置される前記有機ＬＥＤの発光部の配置ピッチを前記単位パネルの単位表示素子の配置ピッチと揃えたことを特徴とする請求項１または２のいずれか１項に記載のタイリングディスプレイ。
【請求項４】
前記単位パネル間に、前記単位パネルと前記単位パネルの駆動回路を接続するための配線、又は前記表示シート領域に位置する前記有機ＬＥＤと前記有機ＬＥＤの駆動回路とを接続するための配線を通すための空隙部を前記単位パネル間に設けたことを特徴とする請求項１乃至３のいずれか１項に記載のタイリングディスプレイ。
【発明の詳細な説明】
【技術分野】
【０００１】
本発明は、プラズマディスプレイ型パネル、液晶ディスプレイ型パネル、フィールドエミッションディスプレイ型パネル、ＣＲＴ等の単位パネルを複数配列して構成されるタイリングディスプレイに関する。
【背景技術】
【０００２】
近年、大画面のディスプレイの需要が増加してきており、それに伴いプラズマディスプレイ、液晶ディスプレイ、フィールドエミッションディスプレイ、ＣＲＴのような表示素子を用いたディスプレイについても画面の大型化が求められてきている。
【０００３】
大画面のディスプレイを単一の表示パネルで実現しようとすると、機械的な強度の点や、電極の抵抗の増大による表示むらの発生等の問題が発生する。これらの問題に対処していくため、表示素子をパネル状に形成し、前記表示素子をタイル状に複数枚配列することによって大画面を実現することが有力な方法となる。
【０００４】
この場合、例えば液晶の周縁部に位置する、液晶素材を封止するために形成されている、継ぎ目として認識されてしまう非表示領域部でも表示を可能とするため特許文献１に記載されているように、非表示領域部にパネル部での表示ピッチと合わせるようにＬＥＤを配置し、画像上に見られるタイル間の継ぎ目部分が目立たぬよう構成した構造が開示されている。
【０００５】
また、特許文献２に記載されているように有機ＥＬ（有機ＬＥＤ）を用いて単位パネルを形成し、各単位パネル間の継ぎ目領域にブラックマトリクスを配置することで、画像上に見られるタイル間の継ぎ目部分が目立たぬよう構成する方法が開示されている。
【０００６】
【特許文献１】特開２００４−１９１４８７号公報
【特許文献２】特開２００４−３２６１３０号公報
【発明の開示】
【発明が解決しようとする課題】
【０００７】
ここで、特許文献１に開示された技術を用いてタイリングディスプレイを形成する場合、画面サイズや画素ピッチを変更する場合には、例えば非表示領域部に配置されるＬＥＤの配置を作り変える等、各単位パネルそのものの設計、特に単位パネルの周縁部の設計をも含めて変更を加える必要がある。そのため単位パネルの設計変更には大きな工数が発生するので単位パネルの寸法の変更によるタイリングディスプレイの面積の変更が事実上困難になるという問題点がある。
【０００８】
更に、ＬＥＤは点光源であるため、視認性を向上させるためには光の拡散部が必要となり、工程の複雑化及び工程の複雑さに起因するコストアップ等の問題も内蔵している。
【０００９】
また、特許文献２に開示された技術を用いてタイリングディスプレイを形成する場合、単位パネルに大面積の有機ＬＥＤパネルを用いタイル状に配置していく必要が生じる。有機ＬＥＤでは単位パネルの周縁部に発生する非表示部の面積は殆ど無視できるよう抑えることができる。だが、有機ＬＥＤ技術のみを用いて大面積のディスプレイに対応するには、有機ＬＥＤ技術は例えば点欠陥の抑制等に関して技術的に未熟な点があり、有機ＬＥＤのみを用いて大面積のディスプレイを形成することには困難を伴う。
【００１０】
本発明は上記課題を解決するためになされたものであり、その目的は技術的に成熟した表示パネルを用いて継ぎ目部分を目立たぬよう処理する技術を提供することを目的としている。
【課題を解決するための手段】
【００１１】
＜構成１＞上記課題を解決するために、本発明のタイリングディスプレイは、周縁部に非表示領域を有する単位パネルを、複数枚タイル状に配列してなるタイリングディスプレイであって、隣り合う前記単位パネル間にある前記非表示領域を覆うように面光源となる有機ＬＥＤを用いた表示シートを配置したことを特徴とする。
【００１２】
この構成によれば、単位パネルの周縁部の非表示部を、有機ＬＥＤを用いた表示シートにより非表示部を覆い隠すことができる。また、非表示領域による総表示面積は表示面積と比べ小さいため、表示装置として技術的に未成熟な点がある有機ＬＥＤを用いても不良の発生を抑えることができる。
【００１３】
また、有機ＬＥＤは固体で構成されているため、単位パネルの周縁部の処理は有機ＬＥＤの劣化要因となる水分の浸入を抑制できるよう処理されていれば良いため、単位パネルの周縁部に発生する非表示部を殆ど無視できる量に抑えることができる。そのため、非表示部を覆い隠す場合に新たに発生する表示シートと単位パネル間との継ぎ目を小さく抑えることができる。
【００１４】
更に、有機ＬＥＤは面光源となるため、実装する場合に光を散乱させるための拡散装置を有機ＬＥＤに被せて配置する必要がなく、少ない工程数で表示シートに広い視野角特性を持たせることができる。
【００１５】
加えて、単位パネルの寸法を変える場合に対しても単位パネルの周縁部に位置する有機ＬＥＤを形成するためのフォトリソグラフ工程に用いるマスク寸法を変更比率に合わせて作り変えるだけで対応できるため、単位パネルの寸法を容易に変更することができる。
【００１６】
＜構成２＞また、上記した本発明のタイリングディスプレイは、前記単位パネルはプラズマディスプレイ、液晶ディスプレイ、フィールドエミッションディスプレイ、ＣＲＴのいずれかであることを特徴とする。
【００１７】
この構成によれば、単位パネルにプラズマディスプレイ、液晶ディスプレイ、フィールドエミッションディスプレイ、ＣＲＴのいずれかを単位パネルとして用いた場合に寄生的に発生する単位パネル周辺の非表示領域を覆うよう有機ＬＥＤを用いた表示シートを設置することで、各単位パネルの継ぎ目部での視認性を改善することができる。
【００１８】
＜構成３＞また、上記した本発明のタイリングディスプレイは、前記表示シートに配置される前記有機ＬＥＤの発光部の配置ピッチを前記単位パネルの単位表示素子の配置ピッチと揃えたことを特徴とする。
【００１９】
この構成によれば、単位パネルと有機ＬＥＤとの配置ピッチが揃えられることから単位パネル間での画像の寸法と表示シート内での画像の寸法とを揃えることができる。従って単位パネルと表示シート内とに画像が跨った場合に生じる画像の歪みを抑えることができる。
【００２０】
＜構成４＞また、上記した本発明のタイリングディスプレイは、前記単位パネル間に、前記単位パネルと前記単位パネルの駆動回路を接続するための配線、又は前記表示シート領域に位置する前記有機ＬＥＤと前記有機ＬＥＤの駆動回路とを接続するための配線を通すための空隙部を前記単位パネル間に設けたことを特徴とする。
【００２１】
この構成によれば、有機ＬＥＤと、有機ＬＥＤを駆動するための駆動回路間との配線を、単位パネル間の空隙部を通して接続することができる。そのため画質を劣化させる要因となる能動面側での配線の引き回しを行うことなく前記表示シートを実装することができる。
【発明を実施するための最良の形態】
【００２２】
以下、本発明を具体化した実施形態について図面に従って説明する。
【００２３】
（第１の実施形態）
第１の実施形態において、図１は本発明の第１の実施形態に係るタイリングディスプレイを構成する液晶カラーディスプレイからなる単位液晶パネルの平面図、図２は図１に示す単位液晶パネルのＡ−Ａ’に沿う断面図である。
【００２４】
カラー液晶パネルを用いた単位液晶パネル１０には、赤（Ｒ）、緑（Ｇ）、青（Ｂ）を一組とした画素１１が複数個マトリクス状に配列されている。薄膜トランジスタ基板１３の能動面には薄膜トランジスタ等により駆動される画素電極１２ａ〜１２ｉがマトリクス状に形成される。
【００２５】
そして、薄膜トランジスタ基板１３の能動面と向き合うように共通電極１６とカラーフィルタ１８ａ〜１８ｉが形成されたカラーフィルタ基板１５が設けられている。また、薄膜トランジスタ基板１３とカラーフィルタ基板１５との間には液晶４４が封入されている。
【００２６】
液体の液晶４４を封止するため、単位液晶パネル１０の周縁部には熱硬化性樹脂等の封止材１９を用いた封止領域１４が形成される。封止領域１４中には液晶４４が存在しないため画素１１は形成されない。
【００２７】
そのため、単位液晶パネル１０をマトリクス状に配置した場合、画素が存在しない領域が生じる。
【００２８】
また、プラズマディスプレイパネル、フィールドエミッションディスプレイ型パネル、ＣＲＴを単位パネルとして用いる場合には真空状態を保持するための封止領域が周縁部に必要となる。そのため単位パネルとして単位液晶パネル１０を用いた場合と同様周縁部に画素が存在しない領域が形成されてしまう。
【００２９】
一方、有機ＬＥＤを用いる場合には正孔注入層、正孔輸送層、発光層、電子輸送層等有機ＬＥＤを構成する物質は全て固体であるため封止領域は殆ど必要なく、有機ＬＥＤの劣化要因となる水分の浸入を抑制できるよう処理されていれば良いため、周縁部端まで画素を配置することができる。
【００３０】
図３は、単位液晶パネルを２枚用いて並べたタイリングディスプレイの平面図であり、図４は図３に示すタイリングディスプレイのＢ−Ｂ’に沿う断面図である。
【００３１】
有機ＬＥＤパネル３３は液晶表示領域３１、液晶表示領域３２に挟まれるように配置されている。カラー液晶パネルを用いた単位液晶パネル４１と単位液晶パネル４２の間には、図４で示されるように空隙が形成されるよう配置されている。単位液晶パネル４１と単位液晶パネル４２はそれぞれ液晶４４、液晶４５により光の透過率を制御することで画像を形成するよう構成されている。
【００３２】
この空隙に有機ＬＥＤパネル３３を駆動するための配線４３を通すことで、タイリングディスプレイ３０の表示画面中に配線起因の影部等を発生させる事無く有機ＬＥＤパネル３３を駆動することが可能となる。
【００３３】
有機ＬＥＤパネル３３の厚さは例えば０．３ｍｍ程度と薄く、斜め方向から見ても影等が目立たないためタイリングディスプレイ３０の画質を高く保つことができる。
【００３４】
また、有機ＬＥＤパネル３３で表示する領域は狭いため、配線抵抗等による画質低下が生じ難い。そのため配線構成が単純なパッシブマトリクス駆動を用いても画質を保つことができ、有機ＬＥＤパネル３３を形成する場合に高い歩留まりを確保することができる。また、更なる高画質を望む場合には、有機ＬＥＤパネル３３をアクティブマトリクスで駆動しても良い。
【００３５】
また、単位液晶パネル４１，４２の寸法を変更する場合には、有機ＬＥＤパネル３３の製造工程で用いるフォトマスクを単位液晶パネル４１，４２の変更倍率に合わせるよう形成されたフォトマスクを用いることで対応できる。そしてこの場合には、製造工程を変える事無く有機ＬＥＤパネル３３の寸法を変えることができるため、単位液晶パネル４１，４２の寸法変更に柔軟に対応することができる。
【００３６】
また、単位液晶パネル４１で用いる画素１１の配置ピッチと有機ＬＥＤパネル３３に用いる画素の配置ピッチを揃える方が画質の観点からは好ましく、単位液晶パネル４１と単位液晶パネル４２との境界での不連続性をより緩和したタイリングディスプレイ３０を提供することができる。
【００３７】
（第２の実施形態）
第２の実施形態として、図５に示すように液晶カラーディスプレイからなる単位液晶パネルを９枚マトリクス状に配置してタイリングディスプレイを構成する例について説明する。
【００３８】
ここで、単位液晶パネル５１ａ〜５１ｉの各々のパネルの間には第１の実施形態と同様に空隙が形成されるよう配置されている。
【００３９】
単位液晶パネル５１ａ〜５１ｉを図５に示すよう配置した場合、タイリングディスプレイ５０を構成する有機ＬＥＤパネル５２ａ〜５２ｈの中でタイリングディスプレイ５０の周辺と接していない有機ＬＥＤパネル５２ｄや有機ＬＥＤパネル５２ｇが発生する。
【００４０】
この場合、有機ＬＥＤパネル５２ｄとその駆動回路とを接続するための配線を例えば単位液晶パネル５１ａと単位液晶パネル５１ｂとの空隙を縫うように有機ＬＥＤパネル５２ａに覆われるよう通すことで、配線による影を作る事無くタイリングディスプレイ５０を構成することができる。有機ＬＥＤパネル５２ｇも同様にして処理することができる。
【００４１】
また、有機ＬＥＤパネル５２ａ〜５２ｈの配線を単位液晶パネル５１ａ〜５１ｉの空隙を縫うように配置することで、配線の高さに起因する有機ＬＥＤパネル５２ａ〜５２ｈと単位液晶パネル５１ａ〜５１ｉとの段差を抑えることができる。
【００４２】
そのため、多数枚単位液晶パネル５１ａ〜５１ｉを用いた場合でも有機ＬＥＤパネル５２ａ〜５２ｈとの段差を有機ＬＥＤパネル５２ａ〜５２ｈの厚さ（例えば０．３ｍｍ程度）に抑えてタイリングディスプレイ５０を構成することができる。そのため、タイリングディスプレイ５０の表示品質を高い状態で維持することができる。
【００４３】
また、有機ＬＥＤパネル５２ａ〜５２ｈは自発光デバイスであるため、光バルブとして動作する液晶パネルを用いる場合と異なり、有機ＬＥＤパネル５２ａ〜５２ｈの非能動面側からの光の入射を受ける必要がない。そのため、有機ＬＥＤパネル５２ａ〜５２ｈの非能動面側には、タイリングディスプレイ５０の表示品質を落とすことなく例えば配線等を通すことができる。
【００４４】
例えば、中央に位置する単位液晶パネル５１ｅを駆動するための配線を単位液晶パネル５１ａ〜５１ｉの各々のパネルの間に形成された空隙、又は有機ＬＥＤパネル５２ａ〜５２ｈに覆われる領域を這わせるように配置することで不要な影等の発生は防止され、高い表示品質を維持できる。
【００４５】
なお、ここまで第１の実施形態、第２の実施形態共に単位パネルとして液晶パネルを用いた例について説明したが、これはプラズマディスプレイ、フィールドエミッションディスプレイ、ＣＲＴ等他の技術を用いた単位パネルを用いても良い。
【図面の簡単な説明】
【００４６】
【図１】液晶カラーディスプレイからなる単位液晶パネルの平面図。
【図２】図１に示す単位液晶パネルのＡ−Ａ’に沿う断面図。
【図３】単位液晶パネルを２枚用いたタイリングディスプレイの平面図。
【図４】図３に示すタイリングディスプレイのＢ−Ｂ’に沿う断面図。
【図５】単位液晶パネルを９枚マトリクス状に配置したタイリングディスプレイの平面図。
【符号の説明】
【００４７】
１０…単位液晶パネル、１１…画素、１２ａ〜ｉ…画素電極、１３…薄膜トランジスタ基板、１４…封止領域、１５…カラーフィルタ基板、１６…共通電極、１８ａ〜ｉ…カラーフィルタ、１９…封止材、３０…タイリングディスプレイ、３１…液晶表示領域、３２…液晶表示領域、３３…有機ＬＥＤパネル、４１…単位液晶パネル、４２…単位液晶パネル、４３…配線、４４…液晶、４５…液晶、５０…タイリングディスプレイ、５１ａ〜５１ｉ…単位液晶パネル、５２ａ〜５２ｈ…有機ＬＥＤパネル。
【図１】
2007192977.tif 000003
【図２】
2007192977.tif 000004
【図３】
2007192977.tif 000005
【図４】
2007192977.tif 000006
【図５】
2007192977.tif 000007